(57)【要約】【課題】本発明の目的は、シートの積載量に関わらず、引き出し時にシート積載部の下降速度を一定にすることである。【解決手段】装置本体に供給するシートを収納可能なシート収納装置１００であって、シート積載部１０１を下降させるための操作部と、最上位のシートの位置を一定に保つためにシート積載部１０１を昇降させる積載部駆動手段と、積載部駆動手段に回転負荷を付与するための機能性流体ダンパー１０８と、機能性流体ダンパー１０８との距離に応じて機能性流体ダンパー１０８による回転負荷の大きさを変更可能な磁石ホルダー１１２とを備え、磁石ホルダー１１２を、シート積載部１０１の高さに応じて機能性流体ダンパー１０８との距離が変更するように設け、操作部によりシート積載部１０１を下降させるときに、機能性流体ダンパー１０８と磁石ホルダー１１２とにより回転負荷を発生させてシート積載部１０１の下降速度を調整することを特徴とする。【選択図】    図１
2008184300.tif 000002
【特許請求の範囲】
【請求項１】
画像形成装置本体に供給するシートを収納可能なシート収納装置であって、
シートを積載して昇降可能なシート積載部と、
前記シート積載部を下降させるための操作部と、
前記シート積載部を昇降させる積載部駆動手段と、
前記積載部駆動手段に連結され、前記積載部駆動手段に回転負荷を付与するための機能性流体を有する回転負荷手段と、
前記機能性流体との距離に応じて該機能性流体による回転負荷の大きさを変更可能な磁石と、
を備え、
前記磁石を、前記シート積載部の高さに応じて前記機能性流体との距離が変更するように設け、前記操作部による前記シート積載部を下降させるときに、前記機能性流体と前記磁石とにより回転負荷を発生させて前記シート積載部の下降速度を調整することを特徴とするシート収納装置。
【請求項２】
前記回転負荷手段に対して前記磁石を移動させる磁石駆動手段を有し、該磁石駆動手段は、前記積載部駆動手段に連結され、前記シート積載部の上昇する方向への駆動のみを伝達するワンウェイギアを介して駆動が伝達され、伝達される駆動により前記磁石を前記回転負荷手段から離間させる方向に移動させ、
前記操作部により前記シート積載部を下降させる時には、前記磁石を前記シート積載部の上昇時に離間した位置に保持されることを特徴とする請求項１に記載のシート収納装置。
【請求項３】
前記シート積載部が最下位置に下降した時に前記回転負荷手段に対して前記磁石を接近させる方向に移動させる磁石移動手段を有することを特徴とする請求項１又は２に記載のシート収納装置。
【請求項４】
前記操作部は、シート収納装置の前記画像形成装置本体からの引き出しに応じて前記シート積載部を下降させる構成であり、前記シート積載部に載置されているシートの最上位のシートが一定の位置にない場合に、前記画像形成装置本体からのシート収納装置の引き出しを制限する引き出し制限手段を設けたことを特徴とする請求項１乃至３のいずれか１項に記載のシート収納装置。
【請求項５】
前記請求項１乃至４のいずれか１項に記載のシート収納装置と、前記シート収納装置から送り出されたシートに画像を形成する画像形成部と、を備えたことを特徴とする画像形成装置。
【発明の詳細な説明】
【技術分野】
【０００１】
本発明は、複写機やプリンタ等の画像形成装置本体に対して引き出し収納可能なシート収納装置及び前記シート収納装置を備えた画像形成装置に関する。
【背景技術】
【０００２】
従来、複写機やプリンタ等の画像形成装置本体に対して引き出し収納可能なシート収納装置としては、近年１０００枚を超える大容量のシートを収納し、最上位のシートより順次１枚ずつ画像形成部に供給するものがある。このシート収納装置は、画像形成装置本体からシート収納装置を引き出したときに、シート収納装置内においてシートを積載したシート積載部が重さで最下位に下降してシートの補充や交換などができるように構成されている。
【０００３】
このように構成されたシート収納装置では、多数枚のシートがシート収納装置内に残った状態で該シート収納装置を画像形成装置本体から引き出すと、多数枚のシートの重量によりシート積載部が急激に下降してしまう。これを防止するために、シート積載部が下降する方向に移動するときには一定の負荷トルクを与える降下制御手段（ダンパー）をシート収納装置に設け、シート収納装置の引き出し時にシート積載部が急激に下降しないようにしている（特許文献１参照）。
【０００４】
【特許文献１】特開平６−１５６７５４号公報
【発明の開示】
【発明が解決しようとする課題】
【０００５】
しかしながら、従来のシート収納装置では、降下制御手段による負荷トルクが常に一定であるため、小数枚の積載状態でシート収納装置を画像形成装置本体から引き出したときにシート積載部が最下位まで下降するのに時間がかかるという問題があった。一方、多数枚の積載状態でシート収納装置を画像形成装置本体から引き出したときには、十分にシート積載部の下降速度を緩和することが困難であった。
【０００６】
そこで本発明の目的は、シートの積載量に関わらず、シート収納装置の引き出し時にシート積載部の下降速度を一定にすることである。
【課題を解決するための手段】
【０００７】
上記目的を達成するための本発明の代表的な構成は、画像形成装置本体に供給するシートを収納可能なシート収納装置であって、シートを積載して昇降可能なシート積載部と、前記シート積載部を下降させるための操作部と、前記シート積載部を昇降させる積載部駆動手段と、前記積載部駆動手段に連結され、前記積載部駆動手段に回転負荷を付与するための機能性流体を有する回転負荷手段と、前記機能性流体との距離に応じて該機能性流体による回転負荷の大きさを変更可能な磁石と、を備え、前記磁石を、前記シート積載部の高さに応じて前記機能性流体との距離が変更するように設け、前記操作部による前記シート積載部を下降させるときに、前記機能性流体と前記磁石とにより回転負荷を発生させて前記シート積載部の下降速度を調整することを特徴とする。
【発明の効果】
【０００８】
本発明によれば、シート収納装置のシート積載部上のシートの積載量に関わらず、画像形成装置本体からシート収納装置を引き出した際にシート積載部の下降速度を一定にすることが可能となる。これにより、シート積載部の急激な下降による衝突音などの異音の発生を抑え、さらに、装置のダメージの低減を図ることができる。
【０００９】
また、多数枚のシートが積載されているときのシート積載部の急激な下降を緩和することが可能であるので、画像形成の動作中のシート収納装置へのシートの追加補給を行っても衝撃による画像のブレ等を起こすことがない。これにより、画像形成装置の出力画像の品質向上を達成することが出来る上、少数枚の積載時には速やかにシート積載部が下降し、補給動作を阻害することがなく、作業性の向上をも達成することができる。
【発明を実施するための最良の形態】
【００１０】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１１】
図１〜図６を用いて、シート収納装置を備えた画像形成装置の一実施形態について説明する。図１、図２、図３、図４はシート収納装置の概略構成を示す斜視図であり、図５は回転負荷手段の斜視図、図６はシート収納装置を備えた画像形成装置の断面図である。
【００１２】
まず、図６を用いて画像形成装置である複写機の概略構成について説明する。図６に示す複写機１０は、複写機本体１１の上部に読み取り位置となる原稿台１２上に原稿を自動的に送り込む自動原稿給送装置１３を開閉可能に備えている。従って、前記読み取り位置となる原稿台１２上への原稿のセットは、前記自動原稿給送装置１３を用いて自動的に行ってもよいし、あるいはユーザーが前記自動原稿給送装置１３を開閉させて原稿台１２上に直接原稿をセットしてもよい。
【００１３】
前記原稿台１２の下部には原稿の画像を読み取るための光学読み取り系１４が配設されている。この光学読み取り系１４は、前記原稿台１２に沿って移動し該原稿台１２上にセットされた原稿の画像面に光を照射する光源、その反射光（画像光）を画像読み込み装置１４ａへと導くミラー及びレンズ等を有している。画像読み込み装置１４ａで読み込まれた画像は電気的な信号に変換され、画像書き込み装置１４ｂへ伝達され、画像読み込み装置１４ｂは受け取った信号を元に画像形成部の感光体ドラム１５上に静電画像を形成する。
【００１４】
前記画像形成部の感光体ドラム１５の周囲には、プロセス手段としての帯電手段１６、現像手段１７及びクリーニング手段１８、さらには転写手段１９等が配設されている。この画像形成部では、まず帯電手段１６によって感光体ドラム１５の表面が一様に帯電され、この感光体ドラム１５上に前記画像書き込み装置１４ｂによって読み取られた画像が照射されて潜像が形成される。そして、現像手段１７によって前記潜像が現像されて感光体ドラム１５上にトナー像が形成される。この画像形成動作と同期するようにしてシートＳが送り込まれ、転写手段１９によって感光体ドラム１５上のトナー像が転写される。尚、転写後に感光体ドラム１５上に残留したトナーはクリーニング手段１８によって除去される。
【００１５】
前記シートＳは、複写機本体１１にシートを供給するシート収納装置に収納されている。すなわち、シートＳは、複写機本体１１の下部に引き出し収納可能に装着されたシート収納装置としてのデッキ１，２、カセット３，４に収容され、あるいは複写機本体１１の側部（図３中右側）に着脱自在に装着された大容量デッキ５に収容されている。これら多種サイズのシートＳは、個々に設けられた給送手段としてのピックアップローラ６及び給送ローラ対７によって選択的に給送されるようになっており、最上位から順次１枚ずつ給送されるようになっている。前記シートＳは、搬送手段としての搬送ローラ対２０、レジストローラ対２１等によって前記画像形成部へと送り込まれ、前述したようにトナー像が転写される。転写後、前記シートＳは搬送ベルト２２によって定着手段２３へと送り込まれ、前記トナー像が定着される。定着後、前記シートＳは排出ローラ対２４によって機外に排出される。
【００１６】
尚、ここで、前記シートの両面に画像を記録形成する場合には、前記排出ローラ対２４の手前側に配設されたフラッパーや、反転ローラ対等からなる反転搬送手段２６によって、前記定着後のシートＳの表裏面が反転されて再搬送路２７に送り込まれる。再搬送路２７に送り込まれたシートＳは、搬送手段としての搬送ローラ対２８〜３１によって再び画像形成部へ給送されるようになっている。画像形成部に送り込まれたシートＳは、前述したように転写・定着が行われた後、機外へと排出される。
【００１７】
また、シートＳは複写機本体側面に回動収納自在に装着された手差しトレイ４０にも積載収納されている。シートＳは手差しトレイ４０に設けられた給送手段としてのピックアップローラ６及び給送ローラ対７によって給送されるようになっており、最上位から順次１枚ずつ給送されるようになっている。前記シートＳは、搬送手段としての搬送ローラ対２０、レジストローラ対２１等によって前記画像形成部へと送り込まれ、前述したようにトナー像が転写される。
【００１８】
次にシート収納装置の構成について図１、図２、図３、図４を用いて説明をする。なお、以下に説明するシート収納装置の形態は、図６におけるデッキ１，２、大容量デッキ５等に適用することができる。
【００１９】
図１に示すシート収納装置１００は、多数枚のシートが積載可能なシート積載部１０１を有している。シート積載部１０１は、積載されたシートの最上位のシートの位置を一定の位置に保つためにシートを積載して昇降可能となっている。なお、ここでいう一定の位置とは、前述の給送手段によってシートを給送することが可能なシート給送位置である。
【００２０】
シート収納装置１００は、前記シート積載部１０１を昇降させるための積載部駆動手段を有している。１０２は積載部駆動手段を構成する駆動入力ギアであり、シート積載部１０１を上昇させるために図示しない駆動源より駆動を入力される。駆動入力ギア１０２は駆動軸１０３に固定されており、駆動軸１０３の同軸上には巻き取りドラム１０４ａ，１０４ｂ、ギア１０６，１０９が固定されている。巻き取りドラム１０４ａ，１０４ｂにはワイヤー１０５の一端がそれぞれ接続され、図示しない駆動源から駆動入力ギア１０２に駆動が入力されると巻き取りドラム１０４ａ，１０４ｂがワイヤー１０５を巻き取り、シート積載部１０１が上昇するようになっている。なお、後述するが、積載部駆動手段への駆動伝達を遮断することによりシート積載部１０１は下降する。
【００２１】
また図１及び図２に示すように、後で詳述する回転負荷手段としての機能性流体ダンパー１０８は、前述の積載部駆動手段に連結されている。すなわち、前記ギア１０６はギア１０７を介して機能性流体ダンパー１０８へ駆動を入力する。
【００２２】
また図１及び図２に示すように、磁石駆動手段を構成するギア１１０，１１１は、前述の積載部駆動手段に連結されている。すなわち、前記ギア１０９は駆動軸１０３の回転駆動を一方向（シート積載部の上昇する方向）の回転のみを伝達するワンウェイギア１１０を介してギア１１１へ伝達し、ギア１１１は伝達された駆動を磁石ホルダー１１２上に設けられたラックギア１１７へ伝達する。
【００２３】
更に図２及び図３に示すように、磁石ホルダー１１２はブレーキ板１１６にスライド可能に取り付けられており、前記機能性流体ダンパー１０８に対して離間又は近接する方向に移動可能となっている。従って、磁石ホルダー１１２は、前記磁石駆動手段を通して、シート積載部１０１の上昇又は下降に応じて機能性流体ダンパー１０８に対して離間又は近接する方向に移動される。
【００２４】
ブレーキ板１１６には退避アーム１１８がブレーキ板１１６に対して水平方向に貫通するように取り付けられている。退避アーム１１８には退避アーム１１８を上方へ付勢させるためのアームばね１１９が接続されている。また、磁石ホルダー１１２の近傍には回動可能なレバー１１３が設けられている。レバー１１３には常に一定方向に回動を付勢させるためのレバーばね１１４が接続されている。この退避アーム１１８、レバー１１３、ばね１１９，１１４により、機能性流体ダンパー１０８に対して磁石ホルダー１１２を最接近させる磁石移動手段を構成している。なお、この磁石移動手段については後で詳述する。
【００２５】
また、図４に示すように、シート収納装置１００はレール１００ａ等により画像形成装置本体から図中矢印方向に引き出し可能に設けられている。このシート収納装置１００の画像形成装置本体からの引き出し可能な構成が、シート積載部１０１を下降させるための操作部である。また、シート収納装置１００にはストッパー部４０２が設けられており、画像形成装置本体にはシート収納装置のストッパー部４０２に係合解除可能に係合する爪を有するソレノイド４０１が設けられている。このストッパー部４０２とソレノイドにより、引き出し制限手段を構成している。引き出し制限手段４０１，４０２は、シート積載部１０１上の最上位のシートＳが前記一定の位置にない場合に係合しており、複写機本体１１からのシート収納装置１００の引き出しを制限している。前記最上位のシートＳが前記一定の位置にある場合には係合解除可能となる。
【００２６】
ここで、回転負荷手段としての機能性流体ダンパー１０８の基本的な構成について説明する。図５はシート収納装置に用いられる機能性流体を用いたダンパーの一例の構成を示す斜視図である。
【００２７】
機能性流体ダンパー１０８は、機能性流体２０３を収納するケース２０１と、機能性流体２０３をケース２０１内に封入するシール２０７と、機能性流体２０３内を回動する回転板２０４を備えている。さらに、回転板２０４と一体に形成され、回転板２０４に回転駆動を伝達するロータリー部２０２を備えている。回転板２０４にはオリフィス２０５が設けられている。またケース２０１には仕切り板２０６が設けられ、機能性流体２０３は回転板２０４で分けられた２室間をオリフィス２０５を通って移動することで回転負荷を発生するように構成されている。機能性流体２０３は、前述の積載部駆動手段に回転負荷を付与する。
【００２８】
この機能性流体ダンパー１０８は、永久磁石を用いて回転負荷トルクの大きさを調整することができる。ここで、機能性流体２０３は磁界の大きさに応じて粘性が変化するものを用いている。従って、機能性流体ダンパー１０８に永久磁石（磁石ホルダー１１２）を近づけると粘性が高くなって機能性流体ダンパー１０８の回転負荷トルクが大きくなり、永久磁石を遠ざけると粘性が低くなって回転負荷トルクが小さくなる。このように、機能性流体ダンパー１０８に対する永久磁石の距離に応じて回転負荷トルクの大きさを変更可能とすることができる。
【００２９】
更に詳しくは、機能性流体２０３としてはＭＲ(Magneto Rheological)流体が本構成においては好適である。このＭＲ流体への磁石の近接・離間によりＭＲ流体の粘性を変化させ、機能性流体ダンパー１０８の回転負荷トルクを磁石ホルダー１１２との距離において一義的に定めることが可能になっている。
【００３０】
上記構成において、シート積載部１０１上にシートＳを積載したシート収納装置１００を画像形成装置本体にセットした際のシート収納装置１００の動作を説明する。
【００３１】
シート収納装置１００は図示しない画像形成装置本体に設けられた駆動源により駆動入力ギア１０２へ回転駆動力が入力される。入力された回転駆動力は駆動軸１０３を介し、巻き取りドラム１０４ａ，１０４ｂを回転させる。巻き取りドラム１０４ａ，１０４ｂは駆動軸１０３と一体的に回転し、巻き取りドラム１０４ａ，１０４ｂに一端を接続されたワイヤー１０５を巻き取りドラム１０４ａ，１０４ｂ上に巻き取っていく。ワイヤー１０５が巻き取られるに従って、シートＳを積載したシート積載部１０１は上方へワイヤー１０５を介して上昇する。
【００３２】
また、前述の駆動軸１０３の回転駆動によってギア１０６はギア１０７を介して機能性流体ダンパー１０８を回転させる。上述したように、機能性流体ダンパー１０８は磁石ホルダー１１２と機能性流体ダンパー１０８との距離によって定まる回転負荷トルクを駆動軸１０３に対して与える。
【００３３】
さらに前述の駆動軸１０３の回転駆動によってギア１０９はワンウェイギア１１０を介してギア１１１へ回転駆動を伝達する。ギア１１１は磁石ホルダー１１２上のラックギア１１７を介して磁石ホルダー１１２を機能性流体ダンパー１０８に対してシート積載部１０１の位置に同期して離間する方向に駆動させる。
【００３４】
以上の動作により、機能性流体ダンパー１０８の回転負荷トルクは、機能性流体ダンパー１０８と磁石ホルダー１１２の距離がシート積載部１０１の位置、すなわちシート積載部１０１上のシートＳの積載量に応じて一義的に定まる。従って、シートＳの積載量が少なくなるに従って機能性流体ダンパー１０８から磁石ホルダー１１２が離間するため、シート積載部１０１の上昇方向での機能性流体ダンパー１０８の回転負荷トルクは低くなる。
【００３５】
次にシート収納装置１００を画像形成装置本体から引き出す際の動作を説明する。シート収納装置１００は、シート積載部１０１上の最上位のシートＳが一定の位置（シート給送位置）まで上昇していない時は、画像形成装置本体に設けられたソレノイド４０１によって画像形成装置本体から引き出すことが出来ないようにロックされている。
【００３６】
一方、前記最上位のシートＳが一定の位置にある時には前記ソレノイド４０１によるロックを解除することが可能である。そして、シート収納装置１００を画像形成装置本体から引き出すと、シート収納装置１００の駆動入力ギア１０２と画像形成装置本体に設けられた駆動源（不図示）に連結された駆動ギア（不図示）との接続が解除される。このように接続が解除されると、シート積載部１０１自身あるいはシート積載部１０１とシート積載部１０１上に積載されたシートＳの重量により、シート積載部１０１が下降する。この下降する力はシート積載部１０１上のシートＳの積載量が多ければ大きく、また少なければ小さくなる。シート積載部１０１が下降しようとする力はシート積載部１０１に接続されたワイヤー１０５を介して巻き取りドラム１０４ａ，１０４ｂに伝達され、巻き取りドラム１０４ａ，１０４ｂに伝達された力は回転力として駆動軸１０３を回転駆動させる。
【００３７】
駆動軸１０３の回転駆動はギア１０６からギア１０７を介して機能性流体ダンパー１０８へと伝達され、機能性流体ダンンパー１０８は磁石ホルダー１１２との距離で一義的に定められた回転負荷トルクをギア１０７を介して駆動軸１０３へ反力として返す。また、ギア１０９はシート積載部１０１が下降する力を回転駆動力としてワンウェイギア１１０へ伝達するが、ワンウェイギア１１０はフリー方向へ回転するため、ギア１１１へ回転駆動力を伝達しない。また、微小な回転駆動力がギア１１１へ伝達された場合においても、磁石ホルダー１１２とブレーキ板１１６との間に発生するフリクションにより、磁石ホルダー１１２が微小回転駆動力の伝達によっても移動しないようになっている。すなわち、磁石ホルダー１１２は、シート収納装置１００が装置本体から引き出されたとき、前記ワンウェイギア１１０の作用によって、その引き出し時の位置（シート積載量に応じた位置）に保持される。
【００３８】
以上の動作により、シート積載部１０１上のシートＳの積載量（シート積載部１０１の下降を開始する瞬間の上下方向での位置）で一義的に決まる回転負荷トルクを機能性流体ダンパー１０８が発生させる。そして、シートＳの積載量が多い時は、シート積載部１０１の高さが低く（上昇量が少なく）、機能性流体ダンンパー１０８に対する磁石ホルダー１１２の離間する方向への移動量が少ないため、機能性流体ダンンパー１０８は高い回転負荷トルクを発生する。また、シートＳの積載量が少ない時は、シート積載部１０１の高さが高く（上昇量が多く）、機能性流体ダンンパー１０８に対する磁石ホルダー１１２の離間する方向へ移動量が多いため、機能性流体ダンンパー１０８は低い回転負荷トルクを発生する。そして、この発生される回転負荷トルクが駆動軸１０３へ反力として伝達される。これにより、シート積載部１０１上のシートＳの積載量に関わらずシート積載部１０１の下降速度を一定にすることができる。
【００３９】
また、図３に示すようにシート積載部１０１が最下部まで下降した際には退避アーム１１８の一端が下降してきたシート積載部１０１に押し下げられる。これによりブレーキ板１１６及びブレーキ板１１６に取り付けられた磁石ホルダー１１２が退避アーム１１８により引き下げられ、磁石ホルダー１１２上に設けられたラックギア１１７がギア１１１から離間する。また同時にシート積載部１０１が最下部まで下降した際にはレバー１１３の一端が下降してきたシート積載部１０１に押されて回動することにより、レバー１１３の他端が磁石ホルダー１１２を機能性流体ダンパー１０８に押し付ける。これにより磁石ホルダー１１２の位置をリセットし、次回のシート積載部１０１の上昇時には磁石ホルダー１１２はあらかじめ決められた位置から上昇を開始できるようにする。
【００４０】
レバー１１３はシート積載部１０１が上昇を開始した際にレバーばね１１４により磁石ホルダー１１２より離間・退避し、磁石ホルダー１１２が機能性流体ダンパー１０８から離間することを阻害しないようになっている。同時に退避アーム１１８はシート積載部１０１が上昇を開始した際にアームばね１１９により上方へ押し上げられる。押し上げられた退避アーム１１８はブレーキ板１１６及びブレーキ板１１６に取り付けられた磁石ホルダー１１２を上方へ押し上げ、磁石ホルダー１１２上に設けられたラックギア１１７をギア１１１と噛み合わせる。
【００４１】
上述したように、本実施形態によれば、シート収納装置１００のシート積載部１０１上のシートＳの積載量に関わらず、画像形成装置本体からシート収納装置１００を引き出した際にシート積載部１０１の下降速度が一定になる。これにより、シート積載部の急激な下降による衝突音などの異音の発生を抑え、さらに、装置のダメージの低減を図ることができる。
【００４２】
また、多数枚のシートＳが積載されているときのシート積載部１０１の急激な下降を緩和することが可能であるので、画像形成の動作中のシート収納装置１００へのシートの追加補給を行っても衝撃による画像のブレ等が起こすことがない。これにより、画像形成装置の出力画像の品質向上を達成することが出来る上、少数枚の積載時には速やかにシート積載部が下降し、補給動作を阻害することがなく、作業性の向上をも達成することができる。
【００４３】
なお前述した実施形態では、本発明の操作部としてシート収納装置１００を画像形成装置本体から引き出す構成としたが、これに限定されるものではない。例えばシート収納装置を固定とし、上部又は側方からシートの補充をするための開口部を設け、この開口部を塞ぐためのカバー部材を開閉可能に設け、このカバー部材の解放動作に応じてシート積載部を下降させる構成のものを操作部としてもよい。
【００４４】
なお前述した実施形態では、画像形成装置として複写機を例示したが、本発明はこれに限定されるものではない。例えばプリンタ、ファクシミリ装置等の他の画像形成装置や、或いはこれらの機能を組み合わせた複合機等の他の画像形成装置であっても良い。これら画像形成装置に用いられるシート収納装置に本発明を適用することにより同様の効果を得ることができる。
【図面の簡単な説明】
【００４５】
【図１】シート収納装置の概略構成を説明する斜視図
【図２】シート収納装置の磁石ホルダー駆動部を説明する斜視図
【図３】シート収納装置のレバーの動作を説明する斜視図
【図４】シート収納装置の引き出し制限手段を説明する斜視図
【図５】シート収納装置における回転負荷手段の一部断面を有する斜視図
【図６】シート収納装置を備えた画像形成装置の概略構成を説明する模式断面図
【符号の説明】
【００４６】
Ｓ    …シート
１，２ …デッキ（シート収納装置）
３，４ …カセット
５    …大容量デッキ（シート収納装置）
６    …ピックアップローラ
７    …給送ローラ対
１０  …複写機（画像形成装置）
１１  …複写機本体（画像形成装置本体）
１５  …感光体ドラム（画像形成部）
１６  …帯電手段
１７  …現像手段
１８  …クリーニング手段
１９  …転写手段
１００ …シート収納装置
１０１ …シート積載部
１０２ …駆動入力ギア（積載部駆動手段）
１０３ …駆動軸
１０４ａ，１０４ｂ …巻き取りドラム
１０５ …ワイヤー
１０６，１０９ …ギア
１０７ …ギア
１０８ …機能性流体ダンパー（回転負荷手段）
１１０ …ワンウェイギア（磁石駆動手段）
１１１ …ギア（磁石駆動手段）
１１２ …磁石ホルダー（磁石）
１１３ …レバー（磁石移動手段）
１１４ …レバーばね
１１６ …ブレーキ板
１１７ …ラックギア
１１８ …退避アーム（磁石移動手段）
１１９ …アームばね
２０１ …ケース
２０２ …ロータリー部
２０３ …機能性流体
２０４ …回転板
２０５ …オリフィス
２０６ …仕切り板
２０７ …シール
４０１ …ソレノイド（引き出し制限手段）
４０２ …ストッパー部（引き出し制限手段）
【図１】
2008184300.tif 000003
【図２】
2008184300.tif 000004
【図３】
2008184300.tif 000005
【図４】
2008184300.tif 000006
【図５】
2008184300.tif 000007
【図６】
2008184300.tif 000008